(57)【要約】【課題】  省電力モード（スリープ）状態のプリンタの状態変化を認識しつつも、省電力モード（スリープ）状態を解除する間隔を減少させ、省電力モードを効果的に機能させることができるプリンタ状態モニタリングシステムの提供。【解決手段】  省電力モード（スリープ）状態のプリンタにおけるイベント通知登録解除の間隔の設定時間を通常状態の設定時間より長くするよう制御し、プリンタが省電力モード（スープ）状態にあることを検知することによって、ホスト側のプリンタへのイベント通知登録の間隔の設定時間を前記プリンタのイベント通知登録解除の間隔の設定時間に伴なって長くするよう制御さらに同時にポーリングによる状態取得を停止するよう制御するプリンタ状態モニタリングシステムによって、省電力モードを効果的に機能させる。【選択図】        図１
2006171946.tif 000002
【特許請求の範囲】
【請求項１】
自己の状態変化をイベントの発行によってホストＰＣ側に通知する機能と省電力モード（スリープ）機能とを有するプリンタと該プリンタの状態をモニタリングするホストＰＣによって構成されるプリンタ状態モニタリングシステムにおいて、省電力モード（スリープ）状態のプリンタにおけるイベント通知登録解除の間隔の設定時間を通常状態の設定時間より長くするよう制御するイベント通知登録解除間隔制御手段と、プリンタが省電力モード（スリープ）状態にあることを検知するプリンタ省電力モード（スリープ）状態検知手段と、前記検知手段によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御するイベント通知登録間隔制御手段を有することを特徴とするプリンタ状態モニタリングシステム。
【請求項２】
自己の状態変化をイベントの発行によってホストＰＣ側に通知する機能と省電力モード（スリープ）機能とを有するプリンタと該プリンタの状態をモニタリングするホストＰＣによって構成されるプリンタ状態モニタリングシステムにおいて、省電力モード（スリープ）状態のプリンタにおけるイベント通知登録解除の間隔の設定時間を通常状態の設定時間より長くするよう制御するイベント通知登録解除間隔制御手段と、プリンタが省電力モード（スリープ）状態にあることを検知するプリンタ省電力モード（スリープ）状態検知手段と、前記検知手段によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御すると同時にポーリングによる状態取得を停止するよう制御するイベント通知登録ポーリング間隔制御手段を有することを特徴とするプリンタ状態モニタリングシステム。
【請求項３】
自己の状態変化をイベントの発行によってホストＰＣ側に通知する機能と省電力モード（スリープ）機能とを有するプリンタと該プリンタの状態をモニタリングするホストＰＣによって構成されるプリンタ状態モニタリングシステムにおいて、省電力モード（スリープ）状態のプリンタにおけるイベント通知登録解除の間隔の設定時間を通常状態の設定時間より長くするよう制御するイベント通知登録解除間隔制御処理と、プリンタが省電力モード（スリープ）状態にあることを検知するプリンタ省電力モード（スリープ）状態検知処理と、前記検知処理によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御するイベント通知登録間隔制御処理を行うことを特徴とするプリンタ状態モニタリングシステム。
【請求項４】
自己の状態変化をイベントの発行によってホストＰＣ側に通知する機能と省電力モード（スリープ）機能とを有するプリンタと該プリンタの状態をモニタリングするホストＰＣによって構成されるプリンタ状態モニタリングシステムにおいて、省電力モード（スリープ）状態のプリンタにおけるイベント通知登録解除の間隔の設定時間を通常状態の設定時間より長くするよう制御するイベント通知登録解除間隔制御処理と、プリンタが省電力モード（スリープ）状態にあることを検知するプリンタ省電力モード（スリープ）状態検知処理と、前記検知処理によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御すると同時にポーリングによる状態取得を停止するよう制御するイベント通知登録ポーリング間隔制御処理を行うことを特徴とするプリンタ状態モニタリングシステム。
【発明の詳細な説明】
【技術分野】
【０００１】
本発明は、自己の状態変化をイベントの発行によってホストＰＣ側に通知する機能と省電力モード（スリープ）機能とを有するプリンタと該プリンタの状態をモニタリングするホストＰＣによって構成されるプリンタ状態モニタリングシステムに関するものである。
【背景技術】
【０００２】
従来、ホスト側でプリンタの状態を認識する方法として、ホスト側のプリンタ状態取得ソフトウェアがプリンタの状態をポーリングして得る方法と、プリンタ側がプリンタの状態変化をホスト側のプリンタ状態取得ソフトウェアにイベントを発行して通知する方法がある。また、関連技術として、タイムアウトあるいはイベントに関するものがある（特許文献１、特許文献２、特許文献３）。
【特許文献１】特開平６−３３２６９３号公報
【特許文献２】特開平９−６４８９号公報
【特許文献３】特開２００３−２５６０８８号公報
【発明の開示】
【発明が解決しようとする課題】
【０００３】
プリンタ側がプリンタの状態変化をホスト側のプリンタ状態取得ソフトウェアにイベントを発行して通知する方法の場合、イベント通知先及び通知内容を予めホスト側からプリンタ側へ登録しておく必要がある。また該登録内容は、通常、特定時間をもって解除（クリア）されるもので、ホスト側はこの特定時間以内毎に再度登録を行う必要がある。しかしながら、プリンタが省電力モード（スリープ）状態にある場合でも、ホスト側からは通常モードと同じく一定時間毎にイベント通知登録をなし、そのたびごとにプリンタは省電力状態が解除される。これでは、折角の省電力モードが意味をなさないものとなり、甚だ不経済である。
【０００４】
本発明は、省電力モード（スリープ）状態のプリンタの状態変化を認識しつつも、省電力モード（スリープ）状態を解除する間隔を減少させ、省電力効果を得ることを可能とするプリンタ状態モニタリングシステムを提供することを目的とする。
【課題を解決するための手段】
【０００５】
本発明に係る請求項１記載のプリンタ状態モニタリングシステムは、省電力モード（スリープ）状態のプリンタにおけるイベント通知登録解除の間隔の設定時間を通常状態の設定時間より長くするよう制御するイベント通知登録解除間隔制御手段（処理）と、プリンタが省電力モード（スリープ）状態にあることを検知するプリンタ省電力モード（スリープ）状態検知手段（処理）と、前記検知手段（処理）によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御するイベント通知登録間隔制御手段（処理）を有することを特徴とするものである。
【０００６】
また、本発明に係る請求項２記載のプリンタ状態モニタリングシステムは、省電力モード（スリープ）状態のプリンタにおけるイベント通知登録解除の間隔の設定時間を通常状態の設定時間より長くするよう制御するイベント通知登録解除間隔制御手段（処理）と、プリンタが省電力モード（スリープ）状態にあることを検知するプリンタ省電力モード（スリープ）状態検知手段（処理）と、前記検知手段（処理）によってプリンタが省電力モード（スリープ）状態にあること検知した場合、ホスト側のプリンタへのイベント通知登録の間隔の設定時間を前記プリンタのイベント通知登録解除の間隔の設定時間に伴なって長くするよう制御すると同時にポーリングによる状態取得を停止するよう制御するイベント通知登録ポーリング間隔制御手段（処理）を有することを特徴とするものである。
【発明の効果】
【０００７】
本発明によれば、省電力モード（スリープ）状態のプリンタの状態変化を認識しつつも、省電力モード（スリープ）状態を解除する間隔を減少させ、省電力モードを効果的に機能させることができる。
【発明を実施するための最良の形態】
【０００８】
以下本発明を実施するための最良の形態を、実施例により詳しく説明する。
【実施例】
【０００９】
以下、図面を参照して本発明の一実施の形態を詳細に説明する。
【００１０】
図１は、本発明の一実施の形態を示すプリンタ状態モニタリングシステムの構成を説明するブロック図である。
【００１１】
図において、１は、ネットワーク３を介して接続されたプリンタ（Ｐｒｉｎｔｅｒ）２の状態情報を同じくネットワーク３を介して取得するプリンタ状態モニタリングシステムとしてのホストＰＣ（ＰＣ）である。該プリンタ（Ｐｒｉｎｔｅｒ）２は、モード状態として、通常状態、あるいは、省電力モード（スリープ）状態を有し、該モード状態に基づいて、イベント通知登録解除間隔制御により、通常状態である場合は、イベント通知登録解除間隔を通常のＴｃｓとし、一方、省電力モード（スリープ）状態である場合は、イベント通知登録解除間隔を通常より長いＴｃｘとする。該プリンタのモード状態は、その状態が変化すると、プリンタモード変化イベントが発行され、プリンタモード状態情報、及び、イベント通知登録解除間隔情報：Ｔｃが情報として、ホストＰＣ（ＰＣ）１へ伝達される。ホストＰＣ（ＰＣ）１は、前記、プリンタモード変化イベントの発行により、プリンタモード状態情報、及び、イベント通知登録解除間隔情報：Ｔｃを検知し、該プリンタモード状態情報に基づいて、イベント通知登録間隔制御により、通常状態である場合は、イベント通知登録間隔を通常のＴｒｓ、ポーリング間隔を通常のＴｐとし、一方、省電力モード（スリープ）状態である場合は、イベント通知登録間隔を通常より長いＴｒｘ、ポーリング間隔を０（停止）とする。ここで、イベント通知登録間隔は、プリンタ（Ｐｒｉｎｔｅｒ）２から伝達された、イベント通知登録解除間隔情報：Ｔｃを基に得られる。
【００１２】
図２は、図１に示したプリンタ状態モニタリングシステムのシステム構成の一例を示すブロック図である。
【００１３】
図において、ホストＰＣ（ＰＣ）１に関し、１０３は、ホストＰＣリードオンリーメモリ（ＨＲＯＭ）で、ホストＰＣ（ＰＣ）１のシステム全体の制御をつかさどるホストＰＣ制御用中央処理装置（ＨＣＰＵ）１０１の制御手順等を保持する。ここには、処理手順等が保持される。１０４は、ホストＰＣメモリ（ＨＭＥＭＯＲＹ（ＲＡＭ／ＨＤ））で、本システムの処理に必要な情報を保持する。ここには、ホストＰＣ（ＰＣ）の処理情報、作業領域等が保持される。
【００１４】
１０５は、ホストＰＣ（ＰＣ）１に対して指示及び表示を行うキーボード（ＨＫＥＹＢＯＡＲＤ）である。１０６は、プリンタ状態情報等の表示をなすホストＰＣディスプレイ（ＨＤＩＳＰＬＡＹ）である。１０７は、ホストＰＣ（ＰＣ）１と状態情報のモニタリングの対象となるプリンタ（Ｐｒｉｎｔｅｒ）２とをネットワーク回線３を介して接続するネットワークポート接続のインターフェースをなすホストＰＣネットワークインターフェースコントローラ（ＨＮＥＴＷＯＲＫ  ＩＮＴＥＲＦＡＣＥ  ＣＯＮＴＲＯＬＬＥＲ）である。
【００１５】
ホストＰＣ（ＰＣ）１の各情報は、ホストＰＣシステムバス（ＨＳＹＳＢＵＳ）１０２を介して行き来する。一方、プリンタ（Ｐｒｉｎｔｅｒ）２に関し、２０３は、プリンタリードオンリーメモリ（ＰＲＯＭ）で、プリンタ（Ｐｒｉｎｔｅｒ）２のシステム全体の制御をつかさどるプリンタ制御用中央処理装置（ＰＣＰＵ）２０１の制御手順等を保持する。ここには、処理手順等が保持される。２０４は、プリンタメモリ（ＰＭＥＭＯＲＹ（ＲＡＭ／ＨＤ））で、本システムの処理に必要な情報を保持する。ここには、プリンタ（Ｐｒｉｎｔｅｒ）２の処理情報、作業領域等が保持される。
【００１６】
２０５は、プリンタ（Ｐｒｉｎｔｅｒ）２に対して指示及び表示を行うコントロールパネル（ＣＯＮＴＲＯＬＰＡＮＥＬ）である。２０６は、情報等の表示をなすプリンタディスプレイ（ＰＤＩＳＰＬＡＹ）である。２０７は、プリンタ（Ｐｒｉｎｔｅｒ）２と状態情報のモニタリングの対象となるプリンタ（Ｐｒｉｎｔｅｒ）２とをネットワーク回線３を介して接続するネットワークポート接続のインターフェースをなすプリンタネットワークインターフェースコントローラ（ＰＮＥＴＷＯＲＫ  ＩＮＴＥＲＦＡＣＥ  ＣＯＮＴＲＯＬＬＥＲ）である。２０８は、プリンタユニット（ＰＲＴＵＮＩＴ）である。プリンタ（Ｐｒｉｎｔｅｒ）２の各情報は、プリンタシステムバス（ＰＳＹＳＢＵＳ）２０２を介して行き来する。
【００１７】
図３は、本一実施の形態において使用される、ホストＰＣ（ＰＣ）１のＨＭＥＭＯＲＹ（ＲＡＭ／ＨＤ）１０４内、プリンタ（Ｐｒｉｎｔｅｒ）２のＰＭＥＭＯＲＹ（ＲＡＭ／ＨＤ）２０４内の領域配置を説明する模式図である。
【００１８】
図において、２０４１は、プリンタ（Ｐｒｉｎｔｅｒ）２のモード状態情報を保持しているプリンタモード状態情報（ＰＭＯＤＥ）で、通常状態、省電力モード（スリープ）状態の各状態情報を有する。２０４２は、イベント通知登録解除間隔情報（ＰＴｃ）で、前記、プリンタモード状態情報（ＰＭＯＤＥ）２０４１に基づいて設定されるイベント通知登録解除間隔情報時間を保持する。
【００１９】
一方、１０４１は、プリンタ（Ｐｒｉｎｔｅｒ）２から伝えられたプリンタモード状態情報（ＰＭＯＤＥ）を保持するプリンタモード状態ホスト情報（ＨＰＭＯＤＥ）で、同様に、通常状態、省電力モード（スリープ）状態等の状態情報を有する。１０４２は、同じく、プリンタ（Ｐｒｉｎｔｅｒ）２から伝えられたイベント通知登録解除間隔情報（ＰＴｃ）を保持する、イベント通知登録解除間隔ホスト情報（ＨＰＴｃ）である。１０４３は、イベント通知登録間隔情報（ＨＴｒ）を導き出すために使用するイベント通知登録間隔調整情報（ＨＴｒｄ）である。
【００２０】
１０４４は、イベント通知登録解除間隔ホスト情報（ＨＰＴｃ）１０４２からイベント通知登録間隔算出情報（ＨＴｒｄ）１０４３をひいた値をセットするイベント通知登録間隔情報（ＨＴｒ）である。１０４５は、ポーリング間隔情報（ＨＴｐ）で、イベント通知登録間隔情報（ＨＴｒ）１０４４及びポーリング間隔情報（ＨＴｐ）１０４５を用いてイベント通知登録／ポーリング処理を行う。
【００２１】
次に、図４を参照しながら本発明に係るプリンタ状態モニタリングシステムにおける処理について詳細に説明する。
【００２２】
図４は、本プリンタ状態モニタリングシステムのプリンタ（Ｐｒｉｎｔｅｒ）２のプリンタ本体処理の一例を示すフローチャート図である。なお、Ｓ１〜Ｓ４は、ステップを示す。
【００２３】
先ず、プリンタ本体初期処理を行いＳ１、諸々の処理の中で、プリンタの通常状態、省電力モード（スリープ）状態の各モード状態の処理を行うプリンタモード処理Ｓ２を行う。プリンタモード処理Ｓ２は、図５を用いて詳細に説明する。次に、プリンタモード処理Ｓ２内の後述イベント通知登録解除間隔制御処理において設定されたイベント通知登録解除間隔情報（ＰＴｃ）２０４２を用いてイベント通知登録解除処理を行いＳ３、電源ＯＦＦ指示等により、プリンタ本体処理を終了すべきか否かの判定を行いＳ４、否であれば、Ｓ１の処理の後へ、終了であれば、処理を終了する。
【００２４】
図５は、図４に示したプリンタモード処理Ｓ２の一例を示すフローチャート図である。なお、Ｓ５〜Ｓ８は、ステップを示す。
【００２５】
先ず、諸々の処理の中で、通常状態か省電力モード（スリープ）状態かのプリンタモードが変更されたか否かを判定Ｓ５し、変更された場合は、プリンタモード状態情報（ＰＭＯＤＥ）２０４１を設定Ｓ６し、イベント通知登録解除間隔制御処理Ｓ７を行い、プリンタのモード状態が変化したことを受けて、プリンタモード変化イベント発行Ｓ８を行い、プリンタモード状態情報（ＰＭＯＤＥ）２０４１、イベント通知登録解解除間隔情報（ＰＴｃ）２０４２を、情報としてホストＰＣ（ＰＣ）１へ伝達し処理を終了する。一方、Ｓ５においてプリンタモードが変更されない場合は処理Ｓ６〜Ｓ８をスキップする。
【００２６】
図６は、図５に示したイベント通知登録解除間隔制御処理Ｓ６の一例を示すフローチャート図である。なお、Ｓ９〜Ｓ１１は、ステップを示す。
【００２７】
先ず、プリンタモード状態情報（ＰＭＯＤＥ）２０４１が通常モードであるか否かの判定を行い、通常モードであれば、イベント通知登録解除間隔情報（ＰＴｃ）２０４２に予め定められた値Ｔｃｓをセットする。一方、通常モードでない、すなわち、省電力モード（スリープ）状態であれば、イベント通知登録解除間隔情報（ＰＴｃ）２０４２に予め定められた値Ｔｃｘをセットし、共に処理を終了する。なお、値Ｔｃｓと値Ｔｃｘの関係は、Ｔｃｓ＜Ｔｃｘ、または、Ｔｃｓ≦Ｔｃｘとなっている。
【００２８】
図７は、本プリンタ状態モニタリングシステムのホストＰＣ（ＰＣ）１のホストＰＣ本体処理の一例を示すフローチャート図である。なお、Ｓ１２〜Ｓ１６は、ステップを示す。
【００２９】
先ず、ホストＰＣ本体初期処理を行うＳ１２。ここでは、後述のイベント通知登録間隔／ポーリング間隔制御処理Ｓ１５内で用いるイベント通知登録間隔調整情報（ＨＴｒｄ）１０４３を設定する。先の、プリンタ（Ｐｒｉｎｔｅｒ）２側のＳ８プリンタモード変化イベント発行に基づき、プリンタモード変化イベントが発行されたか否かの判定を行い、発行されている場合は、プリンタモード状態が変更されているので、共に通知された情報を基に、通知されたプリンタモード状態情報（ＰＭＯＤＥ）２０４１をプリンタモード状態ホスト情報（ＨＰＭＯＤＥ）１０４１にセット及びイベント通知登録解除間隔情報（ＰＴｃ）２０４２をイベント通知登録解除間隔ホスト情報（ＨＰＴｃ）１０４２にセットする処理Ｓ１４を行う。続いて、イベント通知登録間隔／ポーリング間隔制御処理Ｓ１５を行い、Ｓ１３で否と判定された場合と共に、Ｓ１６へ進み、前記イベント通知登録間隔／ポーリング間隔制御処理Ｓ１５で設定されたイベント通知登録間隔情報（ＨＴｒ）１０４４  ポーリング間隔情報（ＨＴｐ）１０４５を用いてイベント通知登録／ポーリング処理を行うＳ１６、最後に、電源ＯＦＦ指示等により、ホストＰＣ本体処理を終了すべきか否かの判定を行いＳ１７、否であれば、Ｓ１２の処理の後へ、終了であれば、処理を終了する。なお、イベント通知登録間隔／ポーリング間隔制御処理Ｓ１５は、図８を用いて詳細に説明する。
【００３０】
図８は、図７に示したイベント通知登録間隔／ポーリング間隔制御処理Ｓ１５の一例を示すフローチャート図である。なお、Ｓ１８〜Ｓ２０は、ステップを示す。
【００３１】
先ず、プリンタモード状態ホスト情報（ＨＰＭＯＤＥ）１０４１が通常モードであるか否かの判定を行い、通常モードであれば、イベント通知登録解除間隔ホスト情報（ＨＰＴｃ）１０４２からイベント通知登録間隔調整情報（ＨＴｒｄ）１０４３をひいた値をイベント通知登録間隔情報（ＨＴｒ）１０４４  にセット、ポーリング間隔情報（ＨＴｐ）１０４５  に予め定められているＴｐをセットするＳ１９。
【００３２】
一方、通常モードでない、すなわち、省電力モード（スリープ）状態であれば、同じく、イベント通知登録解除間隔ホスト情報（ＨＰＴｃ）１０４２からイベント通知登録間隔調整情報（ＨＴｒｄ）１０４３をひいた値をイベント通知登録間隔情報（ＨＴｒ）１０４４  にセット、ポーリング間隔情報（ＨＴｐ）１０４５  に０（ポーリングしない）をセットＳ２０し、共に処理を終了する。
【００３３】
なお、上記一実施の形態においては、イベント通知登録間隔／ポーリング間隔制御処理として、ポーリングについても言及したが、イベント通知登録間隔制御だけであっても良い。
【００３４】
なお、上記一実施の形態においては、イベント通知登録間隔情報（ＨＴｒ）は、イベント通知登録解除間隔ホスト情報（ＨＰＴｃ）１０４２からイベント通知登録間隔調整情報（ＨＴｒｄ）１０４３をひいた値を設定したが、その限りではなく、要は、プリンタ（Ｐｒｉｎｔｅｒ）２のイベント通知登録解除間隔情報に関連性をもって、可変、かつ、通常状態の値と比し、省電力モード（スリープ）状態の値が大きく構成されていれば良い。
【００３５】
また、上記一実施の形態においては、イベント通知登録間隔調整情報（ＨＴｒｄ）１０４３の値は、予め定めれれた値をホストＰＣ本体初期処理を行うＳ１２で設定していたが、その限りではなく、ユーザが入力設定するように構成してもよい。
【００３６】
また、上記一実施の形態においては、ポーリング間隔情報（ＨＴｐ）１０４５  には、予め定められているＴｐをセットしたが、その限りではなく、Ｔｐを可変とし、ユーザが入力設定するように構成してもよい。
【図面の簡単な説明】
【００３７】
【図１】本発明の一実施の形態を示すプリンタ状態モニタリングシステムの構成を説明するブロック図である。
【図２】図１に示したプリンタ状態モニタリングシステムのシステム構成の一例を示すブロック図である。
【図３】本一実施の形態において使用される、ホストＰＣ（ＰＣ）１のＨＭＥＭＯＲＹ（ＲＡＭ／ＨＤ）１０４内、プリンタ（Ｐｒｉｎｔｅｒ）２のＰＭＥＭＯＲＹ（ＲＡＭ／ＨＤ）２０４内の領域配置を説明する模式図である。
【図４】本プリンタ状態モニタリングシステムのプリンタ（Ｐｒｉｎｔｅｒ）２のプリンタ本体処理の一例を示すフローチャート図である。
【図５】図４に示したプリンタモード処理Ｓ２の一例を示すフローチャート図である。
【図６】図５に示したイベント通知登録解除間隔制御処理Ｓ６の一例を示すフローチャート図である。
【図７】本プリンタ状態モニタリングシステムのホストＰＣ（ＰＣ）１のホストＰＣ本体処理の一例を示すフローチャート図である。
【図８】図７に示したイベント通知登録間隔／ポーリング間隔制御処理Ｓ１５の一例を示すフローチャート図である。
【符号の説明】
【００３８】
１  ホストＰＣ（ＰＣ）
１０１  ホストＰＣ制御用中央処理装置（ＨＣＰＵ）
１０２  ホストＰＣシステムバス（ＨＳＹＳＢＵＳ）
１０３  ホストＰＣリードオンリーメモリ（ＲＯＭ）
１０４  ホストＰＣメモリ（ＨＭＥＭＯＲＹ（ＲＡＭ／ＨＤ））
１０５  ホストＰＣキーボード（ＨＫＥＹＢＯＡＲＤ）
１０６  ホストＰＣディスプレイ（ＤＩＳＰＬＡＹ）
１０７  ホストＰＣネットワークインターフェースコントローラ
（ＨＮＥＴＷＯＲＫ  ＩＮＴＥＲＦＡＣＥ  ＣＯＮＴＲＯＬＬＥＲ）
２  プリンタ（Ｐｒｉｎｔｅｒ）
２０１  プリンタ制御用中央処理装置（ＰＣＰＵ）
２０２  プリンタシステムバス（ＰＳＹＳＢＵＳ）
２０３  プリンタリードオンリーメモリ（ＰＲＯＭ）
２０４  プリンタメモリ（ＰＭＥＭＯＲＹ（ＲＡＭ／ＨＤ））
２０５  キーボード（ＫＥＹＢＯＡＲＤ）
２０６  プリンタディスプレイ（ＰＤＩＳＰＬＡＹ）
２０７  プリンタネットワークインターフェースコントローラ
（ＰＮＥＴＷＯＲＫ  ＩＮＴＥＲＦＡＣＥ  ＣＯＮＴＲＯＬＬＥＲ）
２０８  プリンタユニット（ＰＲＴＵＮＩＴ）
３  ネットワーク
【図３】
2006171946.tif 000003
【図４】
2006171946.tif 000004
【図５】
2006171946.tif 000005
【図６】
2006171946.tif 000006
【図７】
2006171946.tif 000007
【図８】
2006171946.tif 000008
【図１】
2006171946.tif 000009
【図２】
2006171946.tif 000010